(57)【要約】      （修正有）【課題】照明範囲を調整可能であり、光源として複数のＬＥＤを有する街灯を提供する。【解決手段】主支持部材１０１と、一端が第１締結部材によって前記主支持部材に枢動可能に固定された基板１０３と、前記主支持部材に対向する面に設けられたＬＥＤ光源１０５と、前記主支持部材と前記基板との間に設けられた調整支持部材１０２であって、一端が第２締結部材によって前記主支持部材に枢動可能に固定された調整支持部材１０２とを備え、前記基板と前記調整支持部材との間に、前記第１締結部材１０１１および第２締結部材１０１２が枢動可能に動き得るときに照明角度を調整するように前記基板の角度を調整するための固定支持部材１０４が設けられる。前記照明角度が調整された後、前記基板は、前記固定支持部材と前記調整支持部材との間の摩擦によって固着されており、前記第１締結部材および前記第２締結部材を固定することによって固定される。前記主支持部材と前記調整支持部材との間には、強化部材１０２１が設けられて固着される。【選択図】図１
0003157955.tif 000002
【実用新案登録請求の範囲】
【請求項１】
照明範囲を調整可能であり、光源として複数のＬＥＤを有する街灯であって、
主支持部材と、
一端が第１締結部材によって前記主支持部材に枢動可能に固定された基板と、
前記主支持部材に対向する面に設けられたＬＥＤ光源と、
前記主支持部材と前記基板との間に設けられた調整支持部材であって、一端が第２締結部材によって前記主支持部材に枢動可能に固定された調整支持部材とを備え、
前記第１締結部材および前記第２締結部材が枢動可能に動き得るとき、前記基板と前記調整支持部材との間に、前記照明範囲を調整するように前記基板の角度を調整するための固定支持部材が設けられ、
照明角度が調整された後、前記基板は、前記固定支持部材と前記調整支持部材との間の摩擦によって固着されており、前記第１締結部材および前記第２締結部材を固定することによって固定される、街灯。
【請求項２】
前記主支持部材と前記調整支持部材との間に二端部が固着された強化部材を備える、請求項１に記載の街灯。
【請求項３】
前記ＬＥＤ光源によって生成された熱を放散するため、前記基板に配置された、複数のフィンプレートと、
前記ＬＥＤ光源を覆うためのマスクとを備え、
前記強化部材が前記主支持部材または前記調整支持部材と共に緩められるとき、前記調整支持部材を枢動可能に動かすように前記第２締結部材が緩められる、請求項２に記載の街灯。
【請求項４】
前記調整支持部材および前記固定支持部材の接触面は、摩擦を生じるように互いに係合する歯を設ける、請求項１に記載の街灯。
【請求項５】
前記調整支持部材と前記固定支持部材との間に接触面を設けるように形成されたスロットと、
前記調整支持部材と前記固定支持部材との間の摩擦を増大するように前記固定支持部材の前記接触面に設けられたガスケットとを備える、請求項１に記載の街灯。
【請求項６】
前記主支持部材と電源との間に接続された、前記電源からの供給電圧を多様なＬＥＤ光源に適した入力電圧に適合させるための、電圧アダプタを備える、請求項２に記載の街灯。
【請求項７】
前記街灯を照明柱にしっかり付着させるための補助締結部材を備える、請求項２に記載の街灯。
【考案の詳細な説明】
【技術分野】
【０００１】
本考案は、照明範囲を調整可能であり光源として複数のＬＥＤを有する街灯に関する。
【背景技術】
【０００２】
発光ダイオード（以下、ＬＥＤと呼ぶ）は、１９５０年代から開発されてきたが一方で、一般的に多くの分野で使用されている。ＬＥＤは電気エネルギーを光エネルギーに変換するものである。まず、基板を形成するため、第５族元素（窒素（Ｎ）、リン（Ｐ）及びヒ素（Ａｓ）など）および第３族元素（アルミニウム（Ａｌ）、ガリウム（Ｇａ）、インジウム（Ｉｎ）など）が液相エピタクシー（以下、“ＬＰＥ”と呼ぶ）または気相エピタクシー（以下、“ＶＰＥ”と呼ぶ）のプロセスを経てＩＩＩ−Ｖ族化合物半導体（リン化ガリウム（ＧａＰ）またはヒ化ガリウム（ＧａＡｓ）など）を生成する。次に、基板の正電極および負電極に電圧を印加する。そうして電流が基板を流れて電子および正孔を互いに結合させる。その結果、電子が低原子価を備える領域に流れて余剰エネルギーを光として放出する。それによってＬＥＤは発光する。ＬＥＤは、高電圧電力の代わりに低電圧電力を使用するため、電力消費は、同じ輝度を有する白熱に比べて８０％少ない。ＬＥＤの応答時間は、白熱灯の１０００倍以上も速い。ＬＥＤには有害金属（鉛など）がないため環境汚染が低減される。基板の化学物質を変えることによって多様な色を有する光を放射できる。ＬＥＤは、タングステンフィラメントなしに発光することができるため、ＬＥＤによる放熱は、少ない。ＬＥＤは、それ自体の温度が低いため、直接、手で触ることができる。ＬＥＤは、他のランプより安全である。
【考案の概要】
【考案が解決しようとする課題】
【０００３】
ＬＥＤは、多様な種類に分類される。ＬＥＤは、主に、電気器具、インテリアディスプレイ、大きな広告板、交通標識の光源を示すために使用される。近年、ＬＥＤは、街灯用光源の一種にもなっている。しかしながら、その光の方向がＬＥＤ光源の表面に垂直であるという事実からＬＥＤ街灯の照明範囲が制限される。そのため、照明範囲の調整が必要である。照明角度を調整するための従来の方法は、図５に示すような枠体５０３に結合されたレンズ体５０２によって達成される。図５を参照すると、従来のＬＥＤ街灯５００は、単一のＬＥＤ光源５０１または複数のＬＥＤ光源５０１を備えており、図５には後者が示されている。ＬＥＤ光源５０１から照射された光は、レンズ体５０２の曲率半径によってより広い領域に散乱される。レンズ体５０２の曲率半径は、必要な照明範囲に応じて選択可能である。従来のＬＥＤ街灯５００は、異なる照明角度を有する光を投射するため、状況毎に異なる曲率半径を有するレンズ体を使用する必要がある。レンズ体５０２では、所望の異なる照明範囲に適さない可能性がある。そのため、レンズ体５０２が必要なだけでなくレンズ体５０２には多様な外形が求められるため、製造費が上がる。さらに、レンズ体５０２の曲率半径により光が散乱されるため、光の強度が下がる。特定の領域が一層照明される必要がある場合、ＬＥＤ光源５０１の数またはＬＥＤ街灯の数を増やさなければならない。そのため、不要な箇所も照明されるため、光の効率も低下する。
【課題を解決するための手段】
【０００４】
本考案により、照明範囲を調整可能であり、光源として複数のＬＥＤを有する街灯を提供する。前記街灯は、主支持部材と、一端が第１締結部材によって前記主支持材に枢動可能に固定された基板と、前記主支持部材に対向する面に設けられたＬＥＤ光源と、前記主支持部材と前記基板との間に設けられた調整支持部材であって、一端が第２締結部材によって前記主支持部材に枢動可能に固定された調整支持部材とを含む。前記基板と前記調整支持部材との間に、前記照明範囲を調整するように前記基板の角度を調整するための固定支持部材が設けられる。前記第１締結部材および第２締結部材が枢動可能に動き得るときにのみ、前記基板が調整されてもよい。前記照明角度を調整した後、前記基板は、前記固定支持部材と前記調整支持部材との間の摩擦によって固着されており、前記第１締結部材および前記第２締結部材を固定することによって固定される。さらに、強化部材が含まれる。前記強化部材は、各端が前記主支持部材および前記調整支持部材それぞれに設けられて固着される。
【０００５】
本考案の実施形態による街灯は、必要であれば、前記固定支持部材に対する前記調整支持部材の位置を調整してもよい。その後、前記照明範囲が調整される。このようにすると、レンズ体を設ける必要がなくなり、照明範囲の調整が機械的な配置によって達成される。ある特定箇所を照らす必要がある場合、その他光源を追加する必要がなく、前記基板の位置が機械的に調整される。さらに、異なる光効果を達成するため、カラーＬＥＤなどの異なるＬＥＤ光源が使用されてもよい。
【図面の簡単な説明】
【０００６】
【図１】本考案の実施形態による、照明範囲を調整可能であり、光源として複数のＬＥＤを有する街灯の斜視背面図である。
【図２】本考案の他の実施形態による、照明範囲を調整可能であり、光源として複数のＬＥＤを有する街灯の斜視背面図である。
【図３】本考案の実施形態による、照明範囲を調整可能であり、光源として複数のＬＥＤを有する街灯の部分図である。
【図４ａ】本考案の実施形態による、照明範囲を調整可能であり、光源として複数のＬＥＤを有する街灯の正面図である。
【図４ｂ】本考案の他の実施形態による、照明範囲を調整可能であり、光源として複数のＬＥＤを有する街灯の正面図である。
【図５】従来の街灯による街灯の透視図である。
【考案を実施するための形態】
【０００７】
図１、図４ａおよび図４ｂを参照して、照明範囲を調整可能であり、光源として複数のＬＥＤを有する街灯について説明する。図１は、本考案の実施形態による、照明範囲を調整可能であり、光源として複数のＬＥＤを有する街灯の斜視背面図である。図４ａは、図１に示した街灯の正面図である。図４ｂも、図１に示した街灯の正面図である。図４ａと図４ｂとの差異は、それぞれの照明角度が異なる点にある。図１に示すように、照明範囲を調整可能であり、光源として複数のＬＥＤを有する街灯１００（以下、街灯１００と省略する）は、主支持部材１０１と、一端が第１締結部材１０１１によって前記主支持部材１０１に枢動可能に固定された基板１０３と、前記主支持部材１０１に対向する面に設けられたＬＥＤ光源１０５と、前記主支持部材１０１と前記基板１０３との間に設けられた調整支持部材１０２であって、一端が第２締結部材１０１２によって前記主支持部材１０１に枢動可能に固定された調整支持部材１０２とを含んでいる。前記基板１０３と前記調整支持部材１０２との間に、前記照明範囲を調整するように前記基板１０３の角度を調整するための固定支持部材１０４が設けられている。前記第１締結部材１０１１および第２締結部材１０１２が枢動可能に動き得るときにのみ、基板１０３が調整されてもよい。照明角度を調整した後、基板１０３は、前記固定支持部材１０４と前記調整支持部材１０２との間の摩擦によって固着されており、前記第１締結部材１０１１および前記第２締結部材１０１２を固定することによって固定される。さらに、強化部材１０２１が含まれている。強化部材１０２１は、各端が主支持部材１０１および調整支持部材１０２それぞれに対して設けられて固着されている。尚、強化部材１０２１および主支持部材１０１が緩められたとき、または強化部材１０２１および調整支持部材１０２が緩められたときにのみ、調整支持部材１０２を枢動可能に回転させるように第２締結部材１０１２が緩められ得る。主支持部材１０１は、照明柱１１０の外形に応じて照明柱１１０を覆うように形成されて照明柱１１０に付着されている。さらに、街灯１００は、基板１０３に設けられた複数のフィンプレート１０７を含んでいる。フィンプレート１０７は、ＬＥＤ光源１０５によって生成された熱を放散させるために使用されている。街灯１００は、街灯１００を照明柱１１０にしっかり付着させるための補助締結部材１０８をさらに含んでいる。街灯１００は、主支持部材１０１と外部電源（図示していない）との間に接続された電圧アダプタ１０９をさらに含んでいる。図２を参照すると、調整支持部材１０２を固定支持部材１０４に対して正確に動かすため、調整支持部材１０２および固定支持部材１０４の接触面は、互いに係合する歯を備えている。この歯は、接触面と接触面の間の摩擦を増大させるだけでなく、調整支持部材１０２の固定支持部材１０４に対する相対位置を限定するものである。
【０００８】
図３に示すような他の実施形態において、調整支持部材１０２と固定支持部材１０４との間に接触面を設けるようにスロットが形成されている。調整支持部材１０２と固定支持部材１０４との間の摩擦を増大するように固定支持部材１０４の接触面にガスケット１１１が設けられている。
【０００９】
照明角度の調整が必要なとき、その調整は、強化部材１０２１および主支持部材１０１を緩めることによって、または強化部材１０２１および調整支持部材１０２を緩めることによって達成される。そうして、第２締結部材１０１２が緩められて、調整支持部材１０２が固定支持部材１０４に対して動き得る。さらに、調整支持部材１０２が固定支持部材１０４に接触した状態であるため、調整支持部材１０２の動きが固定支持部材１０４を上方または下方に動くように駆動する。そうして、固定支持部材１０４が基板１０３を上方または下方に動くように駆動する。このようにして照明範囲が調整される。基板１０３の所望の照明角度が定まった後、調整支持部材１０２を固定支持部材１０４に対して固着するように強化部材１０２１および第２締結部材１０１２を締め付ける必要がある。
【００１０】
図４ａおよび図４ｂは、本考案の街灯の正面図であり、点線で示したように基板１０３の照明角度が異なることを示している。また、山道の曲がり角またはガードレールといった特定箇所をより広く照らす必要がある場合に、両側に２つの異なる照明範囲を有する街灯１００を可能にしている。
【００１１】
上記した実施形態は、本考案の範囲を限定するためのものではない。当業者であれば、以下に示す請求の範囲の趣旨から逸脱しない限り、上記した実施形態に対する種々の修正または変更が本考案の範囲内であるべきことを理解すべきである。
【図１】
0003157955.tif 000003
【図２】
0003157955.tif 000004
【図３】
0003157955.tif 000005
【図４ａ】
0003157955.tif 000006
【図４ｂ】
0003157955.tif 000007
【図５】
0003157955.tif 000008